(57)【要約】【課題】  ボルトとナットを付けたまま、ボルトキャップを破壊しなくても遊具にあるボルトを点検できるボルトキャップを提供する。【解決手段】  ボルト６０に螺合させたナット６２の外周を覆うボルトキャップ３０であって、ボルトキャップ３０は、ボルト６０が貫通する貫通穴４８が形成された底部４４と、底部４４の周囲側面から上方に掛けて曲線状に形成され、ナット６２が露出するように上面が開口する開口部４２が形成された壁面部４６とから成る台座部４０と、壁面部４６の開口部４２を閉塞可能な蓋体部５０と、を有し、壁面部４６の開口部４２の端部には、切欠部５２が形成されている。【選択図】図１
2017008965.tif 000002
【特許請求の範囲】
【請求項１】
ボルトに螺合させたナットの外周を覆うボルトキャップであって、
前記ボルトキャップは、
前記ボルトが貫通する貫通穴が形成された底部と、該底部の周囲側面から上方に掛けて曲線状に形成され、前記ナットが露出するように上面が開口する開口部が形成された壁面部とから成る台座部と、
該壁面部の開口部を閉塞可能な蓋体部と、を有し、
前記壁面部の開口部の端縁部には、切欠部が形成されていることを特徴とするボルトキャップ。
【請求項２】
前記切欠部が、相互に対向する位置に２箇所形成されていることを特徴とする請求項１記載のボルトキャップ。
【発明の詳細な説明】
【技術分野】
【０００１】
本発明は、ボルトキャップに関し、特に公園などに設置される遊具に用いられるボルトキャップに関する。
【背景技術】
【０００２】
公園には、滑り台やブランコなどの遊具が設置され、子供達がこれらの遊具で遊ぶことができるようになっている。公園に設置される遊具は、特に子供達の安全に配慮した構成にしなくてはならず、一般社団法人日本公園施設業協会では、「遊具の安全に関する規準」を作成して遊具が安全規準を満たすように啓蒙している。
【０００３】
また、遊具の組み立てにはボルトおよびナットが用いられることが多いが、ボルトやナットが遊具から突出していると、衝突の危険性があり、けがをするため好ましくない。
【０００４】
そこで、特許文献１から特許文献３に示されるように、遊具を連結する部材においてナットが収納されるように構成することで、ナットが直接触れることができないような技術が提案されている。
【０００５】
しかし、このような連結部材を使用することができない箇所においては、図４に示すように、ボルト１３やナット１７が収納できるボルトキャップ１０を装着し、突出したボルト１３もしくはナット１７が露出しないようにする必要がある。そして、ボルト１３やナット１７を直接触れることができないようにする。
【先行技術文献】
【特許文献】
【０００６】
【特許文献１】実用新案登録第３０９５９２３号公報
【特許文献２】特開２００７−１２７２０４号公報
【特許文献３】特開２００９−２５０３０２号公報
【発明の概要】
【発明が解決しようとする課題】
【０００７】
図４に示されるような従来のボルトキャップ１０を採用する場合、次のような課題がある。すなわち、従来のボルトキャップ１０は、収納容器１１と蓋体部１２からなる。収納容器１１は、ボルト１３を貫通する貫通穴１４が形成された底部１５と底部１５の周囲側面から上方に掛けて形成され壁面部１６とからなる。さらに、開口部が収納容器１１の頭部に形成され、ボルト１３が貫通穴１４に挿入され、ナット１７と底部１５との間に座金１８を入れてナット１７を締め付け、開口部に蓋体部１２を嵌め、ボルト１３とナット１７が露出しないようにしている。このとき、収納容器１１の頭部に形成されている開口部に蓋体部１２を完全に嵌めてしまうと、蓋体部１２が外せなくなってしまう。これは、蓋体部１２の表面に突起物を設けて収納容器１１から外しやすいようにすると、突起物によってけがをする恐れがあり危ないため、ボルトキャップ１０自体の表面が滑らかな曲面にしているからである。このため、道具などを使って簡単に収納容器１１と蓋体部１２とが分離できないという課題がある。また、ボルト１３を外すときや遊具にあるボルト１３の締め付けや劣化具合を点検するときには、わざわざボルトキャップ１０が取り付けられていない側に回ってボルトを外すという課題がある。また、ボルトキャップ１０の反対側に回れない場合は、ボルトキャップ１０を破壊し、再度別のボルトキャップ１０を付けなくてはならないという課題がある。
【０００８】
そこで本発明は上記課題を解決すべくなされ、その目的とするところは、ボルトとナットを付けたまま、ボルトキャップを破壊しなくても遊具にあるボルトを点検できるボルトキャップを提供することにある。
【課題を解決するための手段】
【０００９】
本発明に係るボルトキャップによれば、ボルトに螺合させたナットの外周を覆うボルトキャップであって、前記ボルトキャップは、前記ボルトが貫通する貫通穴が形成された底部と、該底部の周囲側面から上方に掛けて曲線状に形成され、前記ナットが露出するように上面が開口する開口部が形成された壁面部とから成る台座部と、該壁面部の開口部を閉塞可能な蓋体部と、を有し、前記壁面部の開口部の端縁部には、切欠部が形成されていることを特徴とする。この構成によれば、ボルトとナットを付けたまま、道具を使って蓋体部を外すことができ、外した蓋体部を元の場所に嵌め込んでボルトキャップを再利用できる。このため、遊具にあるボルトの締め付け具合や劣化具合を点検するときには、ボルトキャップを破壊しなくてもよい。また、突起物がないため、危なくない。
【００１０】
また、前記切欠部が、相互に対向する位置に２箇所形成されていてもよい。この構成によれば、切欠部の箇所で道具を使って蓋体部を挟み、ボルトとナットを付けたまま容易に蓋体部を外すことができるので、遊具に取り付けられたボルトの点検作業がしやすい。
【発明の効果】
【００１１】
本発明に係るボルトキャップによれば、ボルトとナットを付けたまま、ボルトキャップを破壊しなくても遊具にあるボルトを点検できる。
【図面の簡単な説明】
【００１２】
【図１】本発明に係るボルトキャップを立面正面から見た部分断面図であり、開口部に蓋体部が装着された状態である。
【図２】本発明に係るボルトキャップを立面正面から見た部分断面図であり、蓋体部が装着されていない状態である。
【図３】本実施形態のボルトキャップを側面から見た側面図である。
【図４】従来のボルトキャップの部分断面図である。
【発明を実施するための形態】
【００１３】
本発明に係るボルトキャップ３０について、図面に基づいて説明する。ここで言う遊具は、公園、幼稚園、保育園、学校などに設置されるものであり、例えばすべり台、ブランコ、ジャングルジム、シーソー、雲梯、鉄棒、その他これらの遊具を組み合わせた大型の遊具など様々なものがある。
【００１４】
図１、図２は、本実施形態のボルトキャップ３０を立面正面から見た部分断面図であり、図１は台座部４０にある開口部４２に蓋体部５０が装着された状態、図２は蓋体部５０が装着されていない状態である。本実施形態のボルトキャップ３０は、ボルト６０に螺合させたナット６２の外周を覆うものである。ボルトキャップ３０は、底部４４と、壁面部４６とから成る台座部４０を有していて、底部４４にはボルト６０が貫通する貫通穴４８が形成されている。底部４４は、貫通したボルト６０に螺合させたナット６２もしくは座金６４が当接する当接面を有し、台座のようにナット６２、座金６４が載置される。なお、図１、図２ではナット６２と底部４４との間に座金６４があり、座金６４が底部４４の面に当接されている。さらに、底部４４の周囲側面から上方に掛けて曲線状に形成され、ナット６２が露出するように上面が開口する開口部４２が形成された壁面部４６と、壁面部４６の開口部４２を閉塞可能な蓋体部５０とを有している。壁面部４６の開口部４２の端縁部には、切欠部５２が形成されている。ボルトキャップ３０は、底部４４と壁面部４６とが一体に形成された収納容器５６とし、全体が樹脂製で形成されていてもよい。
【００１５】
ボルトキャップ３０は全体として外周面（壁面部４６の外周面４６ａおよび蓋体部５０の外周面）は滑らかな曲面であることが好ましく、図１、図２は半球状であり、底部４４の外周端縁部から上方に向けて円弧状に形成されている。開口部４２は、蓋体部５０が装着されることで閉塞することができ、閉塞後は壁面部４６の外周面４６ａおよび蓋体部５０の外周面は半球状になるように形成されている。また、底部４４は、ボルトキャップ３０が遊具に取り付けられたときに安定するよう、例えば遊具に取り付ける場合は、遊具の取り付け面７０に対して平行となっている。
【００１６】
図３は、本実施形態のボルトキャップ３０を、図１、図２とは異なり、側面から見た側面図である。本実施形態のボルトキャップ３０切欠部５２が設けられているため、蓋体部５０を容易に取り外すことができる。ただし、切欠部５２は半径１．５〜２ｍｍ程度の半円状に切り取られた形状であるため、人の指、手だけを使って蓋体部５０を外すことはできず、切欠部５２に道具を当てて蓋体部５０を外す。特に、切欠部５２が、相互に対向する位置に２箇所形成されているため、道具を切欠部５２に当てて蓋体部５０を挟めば、容易に取り外すことができる。なお、ボルトキャップ３０および蓋体部５０を上方から見ると円形状である。
【００１７】
蓋体部５０には、蓋体部５０の周囲側面から突状の側周部５０ａが形成され、側周部５０ａと壁面部４６の内周面４６ｂとは平行であり、側周部５０ａの外径ｄと壁面部４６間の距離ｄ’は同一であり、側周部５０ａと壁面部４６の内周面４６ｂとが密接している。また、底部４４と壁面部４６の内周面４６ｂとは垂直の位置関係にある。これらのことは、ボルトキャップ３０が遊具に取り付けられていたとしても外れてしまうことがないようにするためであり、これにより、蓋体部５０が簡単に抜け落ちてしまうことがない。
【００１８】
側周部５０ａの先端は先細形状となっていて、開口部４２に入りやすい形状となっている。また、蓋体部５０を開口部４２に入れて側周部５０ａの先端が底部４４に当接するように配置すると、壁面部４６の外周面４６ａと蓋体部５０の外周面とが段差がなく、滑らかな曲面になる。また、このような配置になるように側周部５０ａの高さが形成されている。これにより、蓋体部５０を開口部４２に押し込んだときに、ちょうど良く嵌まると共に、蓋体部５０が装着されたときに出っ張りや窪みを感じず、指が挟まることがないので、安全に遊具で遊ぶことができる。
【００１９】
ナット６２を、ボルトキャップ３０内の底部４４に配置し、ナット６２が遊具の表面に直接露出しないように、ナット６２をボルト６０に締め付けることで、ナット６２はボルトキャップ３０内に収納できる。
【符号の説明】
【００２０】
３０  ボルトキャップ
４０  台座部
４２  開口部
４４  底部
４６  壁面部
４６ａ  外周面
４６ｂ  内周面
４８  貫通穴
５０  蓋体部
５０ａ  側周部
５２  切欠部
５６  収納容器
６０  ボルト
６２  ナット
６４  台座
７０  取り付け面
【図１】
2017008965.tif 000003
【図２】
2017008965.tif 000004
【図３】
2017008965.tif 000005
【図４】
2017008965.tif 000006